(57)【要約】【課題】積層する樹脂製フィルムの１枚に光干渉機能を有するフィルムを採用し、ラミネートフィルム間に印刷層を形成することにより、従来にない色調や外観を呈する共に生産性に優れた食品収容用簡易容器及びその製造方法を提供する。【解決手段】印刷層を内側に含み、樹脂製フィルムを積層したラミネートフィルムからなる食品収容用簡易容器において、ラミネートフィルム２０を、光干渉機能を有するフィルム３０、ポリオレフィン系樹脂製の透明フィルム４０、インキ含有接着剤５０から構成する。【選択図】図２
2010013132.tif 000002
【特許請求の範囲】
【請求項１】
印刷層を内側に含み、樹脂製フィルムを積層したラミネートフィルムからなる食品収容用簡易容器において、前記樹脂製フィルムの１枚は光干渉機能を有するフィルムからなることを特徴とする食品収容用簡易容器。
【請求項２】
前記樹脂製フィルムは、混合樹脂製の光干渉機能を有するフィルムとポリオレフィン系樹脂製の透明フィルムから構成されることを特徴とする請求項１に記載の食品収容用簡易容器。
【請求項３】
印刷層を内側に含み、樹脂製フィルムを積層したラミネートフィルムを熱成形して食品収容用簡易容器を製造する方法において、前記樹脂製フィルムは、混合樹脂製の光干渉機能を有するフィルムとポリオレフィン系樹脂製の透明フィルムから構成され、異種フィルムどうしが対向するように重ね合わせて予め１３０〜１７０℃に加熱した金型にてプレス成形加工して製造することを特徴とする食品収容用簡易容器の製造方法。
【請求項４】
前記混合樹脂製の光干渉機能を有するフィルムの厚みを１８μｍ程度、前記ポリオレフィン系樹脂製の透明フィルムの厚みを３０μｍ程度に設定したことを特徴とする請求項３に記載の食品収容用簡易容器の製造方法。
【発明の詳細な説明】
【技術分野】
【０００１】
本発明は、樹脂製フィルムを積層したラミネートフィルムを複数枚重ね合わせて加熱押圧成型して得られる食品収容用簡易容器及びその製造方法に関し、特に従来にない色彩や外観を呈する共に生産性に優れた食品収容用簡易容器及びその製造方法に関する。
【背景技術】
【０００２】
従来から、重合接着された２枚の合成樹脂フィルムの間に模様印刷を介在したシートが知られている。例えば、実開昭６２−１４６７１０号公報に「食品収容用簡易容器」が開示されている（特許文献１）。この考案の構成概要は、「透明な合成樹脂フィルムと透明あるいは不透明の合成樹脂フィルム間に模様印刷が施され、重合接着された模様入りフイルムシートを押圧成形した」というものである。これにより、容器の装飾性が向上するとともに、２枚の合成樹脂フィルム間に模様印刷が存在しているため、食品物を収容した際には食品物は直接印刷インキと接触しないため衛生的な食品収容用簡易容器を提供することが可能になる。
【０００３】
一方、食品収容用簡易容器は、樹脂製フィルムを積層したラミネートフィルムを複数枚重ね合わせて加熱押圧成型することにより所定形状に形成される。このとき、加熱押圧によって積層された状態で成型された樹脂製フィルム製の食品収容用簡易容器は、互いに密着した状態となるため、成型工程の後、個々の容器が容易に剥れなくなるという問題があった。そのため、作業者は、食品を収容する際に、容器を一個ずつ剥がすのに相当の手間がかかるので、生産性（作業効率）が低下するばかりでなく、無理に剥離させようとすると、容器が破損する場合がある。
また、樹脂製フィルムを積層したラミネートフィルムの成形容器については、成形容器に加熱された食品を収容する又はこれに収容した食品を容器ごと加熱する場合に所定温度以上に加熱された状態になると、容器自体の保形性が損なわれてしまうという問題を生じる。
【０００４】
【特許文献１】実開昭６２−１４６７１０号公報
【発明の開示】
【発明が解決しようとする課題】
【０００５】
そこで、本発明は、積層する樹脂製フィルムの１枚に光干渉機能を有するフィルムを採用することに着目し、ラミネートフィルム間に印刷層を形成することにより、従来にない色調や外観を呈する共に生産性に優れた食品収容用簡易容器及びその製造方法を提供することを目的とする。
【課題を解決するための手段】
【０００６】
上記課題を解決するために、請求項１に記載の発明は、印刷層を内側に含み、樹脂製フィルムを積層したラミネートフィルムからなる食品収容用簡易容器において、前記樹脂製フィルムの１枚は光干渉機能を有するフィルムからなることを特徴とする。
【０００７】
また、請求項２に記載の発明について、請求項１に記載の前記樹脂製フィルムは、光干渉機能を有するフィルムとポリオレフィン系樹脂製の透明フィルムから構成されることを特徴とする。
【０００８】
また、請求項３に記載の発明は、印刷層を内側に含み、樹脂製フィルムを積層したラミネートフィルムを熱成形して食品収容用簡易容器を製造する方法において、前記樹脂製フィルムは、光干渉機能を有するフィルムとポリオレフィン系樹脂製の透明フィルムから構成され、異種フィルムどうしが対向するように重ね合わせて予め１３０〜１７０℃に加熱した金型にてプレス成形加工して製造することを特徴とする。
【０００９】
また、請求項４に記載の発明について、請求項３に記載の前記光干渉機能を有するフィルムの厚みを１８μｍ程度、前記ポリオレフィン系樹脂製の透明フィルムの厚みを３０μｍ程度に設定したことを特徴とする。
【発明の効果】
【００１０】
以上のように、本発明に係る食品収容用簡易容器によれば、表面に光干渉機能を有するフィルムを配置し且つ内側に印刷層を含んでいることから、見る角度により種々の色調や外観を呈して高級感のある食品収容用簡易容器を提供することができる。
【００１１】
また、本発明に係る食品収容用簡易容器の製造方法によれば、混合樹脂製の光干渉機能を有するフィルムとポリオレフィン系樹脂製の透明フィルムからラミネートフィルムを構成し、異種フィルムどうしが対向するように重ね合わせて加熱した金型にてプレス成形加工するようにしたので、異種フィルムどうしの熱接着性は極めて乏しいため、成形されたラミネートフィルム成形体である容器は互いに接着性を有しておらず、成形された容器を金型から取り出した後も、個別の容器を剥がして分離することが容易となるばかりでなく、成形された容器自体の保形性が損なわれてしまうという問題を解消することができる。
【発明を実施するための最良の形態】
【００１２】
以下、本発明の実施形態について、図面を参酌しながら説明する。本発明に係るラミネートフィルムは、以下の実施例に限定されるものではなく、本発明の目的を逸脱しない限りにおいてどのような製造方法によって製造されたものでもよい。
【００１３】
本発明において用いられる「光干渉機能を有するフィルム」とは、見る角度によって色調が徐々に変化する機能を有するフィルムを意味し、このような機能を有するフィルムであれば本発明の目的を逸脱しない限りにおいていかなるフィルムも使用することができる。なお、光干渉機能を有するフィルムとしては、例えば、「オーロラフィルム」、「オプトフィルム」等として市販されている。
【００１４】
本発明に係る食品収容用簡易容器は、印刷層を内側に含み、表面に配置された光干渉機能を有するフィルムを通して意匠を視認させるものであることから、実質的に透明とみなせる透明樹脂フィルムを基材として積層してなるラミネートフィルムを構成することが好ましい。
【００１５】
（第一実施例）
図１は、ラミネートフィルムを複数枚重ね合わせて加熱押圧成型して得られた食品収容用簡易容器を示す斜視図である。図２は、本発明に係るラミネートフィルムの第一実施例を示す断面図である。
図１に示す食品収容用簡易容器１０は、後述するように複数枚のラミネートフィルム２０が積層された状態で加熱押圧成型して得られる。
ラミネートフィルム２０は、図２に示すように、光干渉機能を有するフィルム３０と、ポリオレフィン系樹脂製の透明フィルム４０から構成され、内側にインキ含有接着剤５０を介在させて積層されている。具体的な材質例について、以下の通り説明する。
（１）オーロラフィルム
製品名  ５０００ＳＥＲＩＥＳ  ＩＲＩＤＥＳＣＥＮＴ  ＦＩＬＭＳ
化学名  ポリエステル／コーポリエステル、アクリルコーポリマー
（２）ポリオレフィン系樹脂製フィルム
製品名  太閤ＦＯ  ＦＯＲ
会社名  フタムラ化学株式会社
化学名  ポリオレフィンフィルム
（３）接着剤Ａ
製品名  ＣＡＴ−２１ＢＬ
会社名  東洋モートン株式会社
化学名  ＮＣＯ末端ポリウレタン系接着剤
（４）接着剤Ｂ
製品名  ＴＭ−３８６Ｌ
会社名  東洋モートン株式会社
化学名  ＯＨ末端ポリウレタン系接着剤
（５）インキ
製品名  ユニビアＡ  シリーズ
会社名  大日本インキ化学工業株式会社
化学名  グラビアインキ
【００１６】
図１に示す食品収容用簡易容器１０は、光干渉機能を有するフィルム３０、ポリオレフィン系樹脂製の透明フィルム４０、インキ含有接着剤５０から構成されたラミネートフィルム２０を、異種フィルムどうしが対向するように重ね合わせて予め１３０〜１７０℃に加熱した金型にてプレス成形加工して製造される。
ここで、異種フィルムどうしの熱接着性は極めて乏しいため、成形されたラミネートフィルム成形体である容器は互いに接着性を有しておらず、成形された容器を金型から取り出した後も、個別の容器を剥がして分離することが容易となる。
また、光干渉機能を有するフィルム３０の厚みを１８μｍ程度、ポリオレフィン系樹脂製の透明フィルム４０の厚みを３０μｍ程度に設定することが好ましい。これにより、成形された容器自体の保形性についても良くなる。
【００１７】
（第二実施例）
図３は、本発明に係るラミネートフィルムの第二実施例を示す断面図である。
食品収容用簡易容器１０は、第一実施例と同様に複数枚のラミネートフィルム２０が積層された状態で加熱押圧成型して得られる。
ラミネートフィルム２０は、図３に示すように、光干渉機能を有するフィルム３０と、ポリオレフィン系樹脂製の透明フィルム４０から構成され、内側にインキ７０が印刷されており、インキ７０を覆うように接着剤６０が塗布され、この接着剤６０を介在させて積層されている。具体的な材質例については、上述した第一実施例と同様である。
【００１８】
図１に示す食品収容用簡易容器１０は、光干渉機能を有するフィルム３０、ポリオレフィン系樹脂製の透明フィルム４０、インキ７０・接着剤６０から構成されたラミネートフィルム２０を、異種フィルムどうしが対向するように重ね合わせて予め１３０〜１７０℃に加熱した金型にてプレス成形加工して製造される。
ここで、異種フィルムどうしの熱接着性は極めて乏しいため、成形されたラミネートフィルム成形体である容器は互いに接着性を有しておらず、成形された容器を金型から取り出した後も、個別の容器を剥がして分離することが容易となる。
また、光干渉機能を有するフィルム３０の厚みを１８μｍ程度、ポリオレフィン系樹脂製の透明フィルム４０の厚みを３０μｍ程度に設定することが好ましい。これにより、成形された容器自体の保形性についても良くなる。
【図面の簡単な説明】
【００１９】
【図１】ラミネートフィルムを複数枚重ね合わせて加熱押圧成型して得られた食品収容用簡易容器を示す斜視図である。
【図２】ラミネートフィルムの第一実施例を示す断面図である。
【図３】ラミネートフィルムの第二実施例を示す断面図である。
【符号の説明】
【００２０】
１０  食品収容用簡易容器
２０  ラミネートフィルム
３０  光干渉機能を有するフィルム
４０  透明フィルム
５０  インキ含有接着剤
６０  接着剤
７０  インキ
【図１】
2010013132.tif 000003
【図２】
2010013132.tif 000004
【図３】
2010013132.tif 000005